【事件の表示】
　平成　３年特許願第　５６６４８号「光ディスク装置及びその再生方法」拒絶査定に対する審判事件［平成　４年１０月１５日出願公開、特開平　４−２９１０５６］について、次のとおり審決する。
【結　論】
　本件審判の請求は、成り立たない。
【理　由】
１．出願の経緯、本願発明
　本願は、平成３年３月２０日の出願であって、その請求項１に係る発明は、平成１１年１０月１４日付け、及び平成１３年１０月２２日付け手続補正書によって補正された、明細書及び図面の記載からみて、特許請求の範囲の請求項１に記載された次のとおりのものと認める。
「光ディスクを回転駆動する回転手段と、前記回転手段の回転数を所定の回転数に制御するサーボ制御手段と、光ディスクから情報を光学的に再生する再生手段と、前記再生手段の再生情報のうちサブＱコントロール４ビットが０１００または０１１０の場合は光ディスクをＲＯＭディスクと識別しそれら以外の場合は光ディスクを音楽ディスクと識別する媒体識別手段とを有し、
　前記サーボ制御手段が前記回転手段を線速度１．２〜１．４ｍ／ｓの第１の回転数に制御すると共に前記媒体識別手段が光ディスクの種類を識別し、前記媒体識別手段が光ディスクをＲＯＭディスクと識別した場合は前記サーボ制御手段が前記回転手段を前記第１の回転数よりも高速の第２の回転数に制御して再生することを特徴とする光ディスク装置。」
　
２．引用例
　これに対して、当審における、平成１３年８月１３日付けで通知した拒絶の理由に引用された、特開昭６２−１９２０７６号公報（昭和６２年８月２２日出願公開、以下「引用例１」という）には、以下の記載がある。
「ところで、最近はニューメディア時代といわれ、種々の情報が世に提供され、いわゆるマルチメディア情報となっている。
　この情報としてはコンピュータデータ等の間欠的なデータ、また、静止画像やイメージ等の準間欠的なデータの他に、デジタルオーディオ等の全く連続的な情報もある。」（第２頁左下欄第１４行〜右下欄第１行）
「第１図はこの発明方法を実施した記録再生装置の一例のブロック図である。
　（１１）は光磁気ディスクで、（中略）。
　すなわち、この駆動モータ（２１）には周波数発電機（２２）が設けられており、この周波数発電機（２２）よりモータ（２１）の回転速度に比例した周波数信号ＦＧが得られ、これが位相比較回路（２３）に供給される。一方、この位相比較回路（２３）にはスピード基準信号ＲＥＦが供給される。このスピード基準信号ＲＥＦは後述するように記録すべき、あるいは再生するデータの転送レートに応じて変えられるものではあるが、ディスク（１１）が目的とする回転速度で回転しているときの周波数発電機（２２）の出力ＦＧの周波数と等しい信号である。（中略）
　この位相比較回路（２３）の比較出力は、積分回路（２４）を通されてスピード誤差電圧とされ、これがモータドライブ回路（２５）を介してモータ（２１）に供給されて、このモータ（２１）がスピード基準信号ＲＥＦに応じた角速度で回転するように制御される。」（第４頁左上欄第１６行〜左下欄第８行）
「次に再生時について説明する。
　ディスク（１１）からヘッドにて再生されたデジタル信号は再生プロセス回路（４１）に供給されて復調され、ビット同期再生がされてデジタル信号にされる。このプロセス回路（４１）の出力は識別情報ＩＤのデコーダ（４６）に供給されて、各セクタの付加データ部に記録されていた転送レート等を示す識別情報がデコードされ、そのデコード出力がスピード基準発生回路（４７）に供給されて、デコードされた転送レートに応じたスピード基準信号がこれより得られ、これがスイッチ（２６）の再生側端子ＰＢを通じて位相比較回路（２３）に供給され、ディスクは記録されていたデータの転送レートに同期した回転数で回転する。」（第６頁右上欄第５〜１８行）
　また、第６頁左上欄に、現実的な用途と転送レート、ディスクの回転数との関係を示す表が記載されており、用途としてＣＤも記載されている。
　これらの記載及び図面を参照すると、引用例１には、
「光磁気ディスクを駆動する駆動モータ２１と、
　周波数発電機２２、位相比較回路２３、積分回路２４，モータドライブ回路２５により、駆動モータ２１がスピード基準信号ＲＥＦに応じた角速度で回転するように制御する手段と、
　光磁気ディスクからデジタル信号を再生するヘッドと
　各セクタの付加データ部に記録されていた転送レート等を示す識別信号に基づいて、転送レートに応じたスピード基準信号ＲＥＦを発生するスピード基準発生回路４７と
を有し、
　コンピュータデータ、静止画像データ、及びＣＤを含む各種デジタルオーディオデータの各々の転送レートに応じたディスク回転数で再生を行うディスク再生装置」
が記載されている。
　
　同じく、実願昭６３−９１８９１号（実開平２−１６４５４号公報）のマイクロフィルム（平成２年２月１日出願公開、以下「引用例２」という）には、以下の記載がある。
「ＣＤはオーディオ用としてではなく、地図情報、サービス情報等を記憶した読出し専用メモリいわゆるＣＤ−ＲＯＭとしても利用されている。そのようなＣＤ−ＲＯＭの読出しをオーディオＣＤの再生プレーヤで行うことも可能であるが、そこから読み出されたデータはマイクロコンピュータ等の適当な処理装置で処理された後適当な表示装置例えばＣＲＴ等で表示されることになる。したがって、もし再生プレーヤがオーディオ装置とマイクロコンピュータ等の処理装置とに切換可能となっていれば、該再生プレーヤをオーディオＣＤ用にもＣＤ−ＲＯＭ用にも併用され得ることになる。事実、車載用のＣＤ再生プレーヤにはオーディオＣＤ用にもＣＤ−ＲＯＭ用にも併用されているものがあり、この場合にはオーディオＣＤによって音楽を楽しんだり、あるいはＣＤ−ＲＯＭによって道路地図情報を読み出したりすることが可能である。」（第６頁第１０行第７頁第６行）
　したがって、引用例２には、
「同じ再生プレーヤで、オーディオＣＤ及びＣＤ−ＲＯＭを再生する再生プレーヤ。」
が記載されている。
　
　同じく、特開昭６４−８８９６４号公報（昭和６４年４月３日出願公開、以下「引用例３」という）には、以下の記載がある。
「本発明はディスクプレーヤ装置に関する。」（第１頁右下欄第６行）
「上記したピックアップ１は、ディスク（図示省略）に光を照射し、その反射光を光電変換することにより得た信号をＥＦＭ復調部２に送る。ＥＦＭ復調部２は音楽信号や映像信号などの再生に供される信号とそれ以外のサブコードに関する信号とに分離し、前者をデータ復調・訂正補正部３に送り、後者をサブコードＱ再生部７に送る。（中略）サブコードＱ再生部７はＥＦＭ復調部２によって分離されたサブコードＰ〜Ｗのうち、後述するサブコードＱのみを再生する。また、コントロールデータ検出部８は、後述するサブコードＱのコントロールデータの所定のビットからディスクに記録されている情報が、少なくとも音楽情報を含む情報であるか、あるいは音楽情報を含まない情報であるかを検出し、（以下略）。」（第２頁左下欄第９行〜右下欄第１４行）
　また、引用例３の第３図には、上記サブコードＱのコントロールデータが、（００Ｘ０）（００Ｘ１）（１０Ｘ０）（１０Ｘ１）の場合はオーディオ情報であることを表し、（０１Ｘ０）の場合はデータトラックであることを表し、（０１Ｘ０）（１１Ｘ１）の場合はＲＥＳＥＲＶＥＤであることを表し、（ＸＸ０Ｘ）の場合はデジタルコピー禁止を表し、（ＸＸ１Ｘ）の場合はデジタルコピー許可であることを表していること（注：Ｘ＝０又は１のどちらでもよい）が記載されている。
　したがって、引用例３には、
「サブコードＱのコントロールデータ４ビットが、（００Ｘ０）（００Ｘ１）（１０Ｘ０）（１０Ｘ１）の場合はオーディオ情報であることを表し、（０１Ｘ０）の場合はデータトラックであることを表し、（０１Ｘ０）（１１Ｘ１）の場合はＲＥＳＥＲＶＥＤであることを表し、（ＸＸ０Ｘ）の場合はデジタルコピー禁止を表し、（ＸＸ１Ｘ）の場合はデジタルコピー許可であることを表している（注：Ｘ＝０又は１のどちらでもよい）ディスクを再生するディスクプレーヤ装置において、搭載されたディスクが音楽情報を記録したディスクか、産業用のディスクかを検出する、ディスクプレーヤ装置。」
が記載されている。
　
　同じく、特開平２−９４０６３号公報（平成２年４月４日出願公開、以下「引用例４」という）には、以下の記載がある。
「この発明は、ＣＤ−ＲＯＭ装置や磁気ディスク装置等からの記録データ読取り方式に係り、特に記録データを可及的に高速で読取ることができるようにした記録データ読み取り方式に関する。」
　したがって、引用例４には、
「ＣＤ−ＲＯＭに記録されたデータの読み取り速度を、可及的に高くした記録データ読取り方式。」
が記載されている。
　
３．対比
　本願発明と引用例１記載の発明とを対比する。
(1)引用例１記載の「光磁気ディスク」「駆動モータ」「周波数発電機２２、位相比較回路２３、積分回路２４，モータドライブ回路２５により、駆動モータ２１がスピード基準信号ＲＥＦに応じた角速度で回転するように制御する手段」「ヘッド」「スピード基準発生回路」が、本願発明の「光ディスク」「回転手段」「サーボ制御手段」「再生手段」「媒体識別手段」に相当することは明かである。
(2)本願発明の「線速度１．２〜１．４ｍ／ｓの第１の回転数」とは、ＣＤの再生の通常の回転数である（本願の発明の詳細な説明第１０段落、及びＣＤの規格を参照）から、本願発明は、音楽ディスクは第１の回転数に制御して再生し、ＲＯＭディスクは第２の回転数に制御して再生している。引用例１記載の発明の「各々の転送レートに応じたディスク回転数で再生」を行う構成が、本願発明のこの再生動作に対応する。
　したがって、本願発明と引用例１記載の発明は、
「光ディスクを回転駆動する回転手段と、前記回転手段の回転数を所定の回転数に制御するサーボ制御手段と、光ディスクから情報を光学的に再生する再生手段と、前記再生手段の再生情報に基づいて光ディスクに記録された情報の種類を識別する媒体識別手段とを有し、
　前記媒体識別手段が光ディスクに記録された情報の種類を識別し、前記サーボ制御手段が光ディスクに記録された情報の種類に応じた回転数に制御して再生することを特徴とする光ディスク装置。」
である点で一致し、以下の点で相違する。
・相違点１
　光ディスクに記録された情報の種類の識別が、本願発明では「光ディスクの種類が音楽ディスクかＲＯＭディスクかを識別する」のに対し、引用例１記載の発明では、「コンピュータデータ、静止画像データ、及び各種デジタルオーディオデータ」を識別している点。
・相違点２
　本願発明は、サブＱコントロールコード４ビットが０１００または０１１０の場合は光ディスクをＲＯＭディスクと識別しそれら以外の場合は光ディスクを音楽ディスクと識別するに対して、引用例１記載の発明は、付加データ部のどこに、どのような識別信号が記録されているのかが特定されていない点。
・相違点３
　本願発明は、第１の回転数（すなわち、音楽ディスク再生時の回転数）でディスクに記録された情報の種類を識別しているのに対して、引用例１記載の発明は、前記識別をどの速度で行っているのかが特定されていない点。
・相違点４
　本願発明は、第２の回転数（すなわち、ＲＯＭディスク再生時の回転数）は、第１の回転数（すなわち、音楽ディスク再生時の回転数）よりも高速の回転数であるのに対して、引用例１記載の発明は、第６頁左上欄の表に記載されているように、オーディオ以外の情報の再生時の回転数２，３，４はオーディオ情報の再生時の回転数１，１’，１”，１’”に比し、必ずしも高速の回転数ではない点。
　
４．当審の判断
　上記相違点について検討する。
(1)相違点１に対して
　再生される情報の種類が、オーディオＣＤからの情報とＣＤ−ＲＯＭからの情報である光ディスク再生装置は、引用例２に記載されているように公知であり、引用例１記載の発明の再生し識別する情報の種類を、引用例２記載の発明のごとくオーディオＣＤからの情報とＣＤ−ＲＯＭからの情報とすることは、当業者が容易に想起し得たものと認められる。
　
(2)相違点２に対して
　引用例３に記載されているように、サブコードＱのコントロールデータ４ビット（本願発明の「サブＱコントロールコード４ビット」に相当）により、搭載されたディスクが音楽ディスクか、産業用のディスク（本願発明の「ＣＤ−ＲＯＭ」に相当）かを検出するディスクプレーヤ装置は、公知であり、引用例１記載の発明の識別情報によって媒体に記録された情報の種類を識別する構成を、引用例３記載の発明のごとく、サブＱコントロールコード４ビットに基づいて識別することは、当業者にとって格別困難なことではなく、また、本願発明において、サブＱコントロールコード４ビットが０１００または０１１０の場合は光ディスクをＲＯＭディスクと識別しそれら以外の場合は光ディスクを音楽ディスクと識別することも、引用例３の第３図の記載から当業者が容易になし得たことと認められる。
　
(3)相違点３に対して
　再生可能なディスク回転数の中から、どの回転数でディスクに記録された情報の種類を識別するかは、適宜選択し得る設計的事項にすぎない。また本願発明の第１の回転数である「線速度１．２〜１．４ｍ／ｓ」は、ＣＤの１．２５ｍ／ｓ、ＭＤの１．２〜１．４ｍ／ｓのごとく、音楽ディスクにおける一般的な回転数にすぎず、格別のものでもない。したがって、上記相違点３は格別のものではない。
　
(4)相違点４に対して。
　コンピュータで処理される情報を記録するＣＤ−ＲＯＭを高速で再生したいという要求は、引用例４に記載されている。そして、引用例４の記載に基づいて、引用例１のオーディオ以外の情報の回転数を、オーディオ情報の再生時の回転数よりも高速の回転数にすることは、当業者が容易に想起し得たものと認められる。
　
５．むすび
　以上の理由により、本願発明は、引用例１〜４記載の発明に基づいて、当業者が容易に発明をすることができたものと認められるから、特許法第２９条第２項の規定により特許を受けることができない。
　よって、結論のとおり審決する。